(57)【要約】【課題】記念品や賞品等としての置物本来の美観や装飾性を損なうことなく、花の一輪挿しもできる一輪挿し置物を提供する。【解決手段】置物本体１の上面に縦穴５が形成され、この縦穴に一輪挿し器７の下部を抜き差し自在に挿入して、一輪挿し器を置物本体の上面に着脱自在に起立させる。置物本体１は透明部分を有するガラス又は樹脂製で、その透明部分に文字や図形や絵などの彫刻６が施され、縦穴５は、その彫刻部分より外れた位置に形成されている。【選択図】図１
0003127375.tif 000002
【実用新案登録請求の範囲】
【請求項１】
置物本体の上面に縦穴が形成され、この縦穴に一輪挿し器の下部を抜き差し自在に挿入して、一輪挿し器を置物本体の上面に着脱自在に起立させることを特徴とする一輪挿し置物。
【請求項２】
置物本体が透明部分を有するガラス又は樹脂製で、その透明部分に文字や図形や絵などの彫刻が施され、その彫刻部分より外れた位置に縦穴が形成されていることを特徴とする請求項１に記載の一輪挿し置物。
【請求項３】
一輪挿し器が不透明な有底円筒体で、縦穴に挿入する下部の外径が、その上部よりも、段部を形成して径細になっていることを特徴とする請求項１又は２に記載の一輪挿し置物。
【請求項４】
一輪挿し器が真鍮製であることを特徴とする請求項３に記載の一輪挿し置物。
【考案の詳細な説明】
【技術分野】
【０００１】
本考案は、花（生花又は造花）を一輪挿しできる置物に関する。
【背景技術】
【０００２】
特許文献１（特開２００３−２１０２９６号公報）には、透明の中空ブロックに、前後に貫通する孔を形成するとともに、このブロックの上面に中空部に通じる小さい挿入部を設け、この小さい挿入部に花を一輪挿しできるようにした花瓶が開示されている。
【特許文献１】特開２００３−２１０２９６号
【０００３】
この花瓶は、複数を積み重ねたり、並べ重ねることで置物のような使用形態にもできるようになっているが、単体として使用するときには、記念品のような置物とするには利用価値が低い。また、前後に貫通する孔を形成した中空ブロックの中空部に、上面の小さい挿入部から一輪挿しするようになっているので、水の出し入れが面倒であるとともに、上面の小さい挿入部から中空部内へと空間が拡がっているので、差し込んだ花の茎が中空部内で曲がり、その様子が、中空ブロックが透明であることから透視でき、美観上良くない。
【考案の開示】
【考案が解決しようとする課題】
【０００４】
本考案の課題は、記念品や賞品等としての置物本来の美観や装飾性を損なうことなく、花の一輪挿しもできる一輪挿し置物を提供することにある。
【課題を解決するための手段】
【０００５】
請求項１に係る本考案の一輪挿し置物は、置物本体の上面に縦穴が形成され、この縦穴に一輪挿し器の下部を抜き差し自在に挿入して、一輪挿し器を置物本体の上面に着脱自在に起立させる。
【０００６】
このような構成を基本として、請求項２に係る考案では、置物本体が透明部分を有するガラス又は樹脂製で、その透明部分に文字や図形や絵などの彫刻が施され、その彫刻部分より外れた位置に縦穴が形成されている。
【０００７】
請求項３に係る考案では、一輪挿し器が不透明な金属製の有底円筒体で、縦穴に挿入する下部の外径が、その上部よりも、段部を形成して径細になっている。
【０００８】
この構成に加えて、請求項４に係る考案では、一輪挿し器が真鍮製となっている。
【考案の効果】
【０００９】
本考案によれば、置物本体へ直接に花を一輪挿しするのではなく、置物本体の縦穴に一輪挿し器の下部を抜き差し自在に挿入して、一輪挿し器を置物本体の上面に着脱自在に起立させ、その起立させた一輪挿し器に一輪挿しするので、記念品や賞品等としての置物本来の美観や装飾性を損なうことなく、花の一輪挿しができる。また、一輪挿し器が置物本体の上面の縦穴に着脱自在となっているので、一輪挿し器への水の出し入れが容易である。
【００１０】
請求項２に係る考案によれば、置物本体の透明部分に文字や図形や絵などの彫刻が施され、その彫刻部分より外れた位置に縦穴が形成されているので、透明部分の彫刻の美観を損ねることなく、その彫刻に、好みの一輪の花を添えた興趣に富む美観を呈することができる。
【００１１】
請求項３に係る考案によれば、一輪挿し器が不透明な有底円筒体で、縦穴に挿入する下部の外径が、その上部よりも段部を形成して径細になっているので、一輪挿し器を置物本体の上面上に安定した状態で起立させることができるとともに、体裁も良い。
【００１２】
請求項４に係る考案によれば、一輪挿し器が真鍮製であるので、真鍮の比重により一輪挿し器に重量を与えて安定性を高めることができるとともに、高級感を持たせることもできる。
【考案を実施するための最良の形態】
【００１３】
次に、本考案の実施例を図面に基づいて詳細に説明する。
【実施例１】
【００１４】
図１〜図７に示す実施例１は、置物本体１が、不透明な台形の台座部２上に透明な柱部３を立て、柱部３の左右の垂直な側面に三角形の不透明な突出部４を付設したもので、柱部３は光学ガラス製、台座部２及び突出部４は通常のガラス製で、接着により一体化されている。なお、これらをアクリル等の樹脂製としてもよい。
【００１５】
透明な柱部３は、厚板状のほぼ直方体であるが、その下端部の左右両側を、左右の三角形の突出部４の下側の斜面４ａから面一に続く左右の斜面となるように、斜めにカットしてある。一方、柱部３の上端部は、その左右両側を、左右の三角形の突出部４の上側の斜面４ｂから面一に続くように斜めにカットしたうえに、さらに、左右それぞれの前後の角部を斜めにカットして、柱部３の上端に、菱形の平らな上面３ａを残している。そして、この上面３ａの中央に円形の縦穴５を形成している。
【００１６】
柱部３の正面には、文字や図形や絵などの彫刻６が施されている。縦穴５は、柱部３が透明であるため透視できるが、その領域は、彫刻６が施されていない部分であるため、見えても彫刻６には影響しない。
【００１７】
この一輪挿し置物は、このような置物本体１とは別に、真鍮製の一輪挿し器７を備えている。一輪挿し器７は、縦長の有底円筒体で、下部７ａの外径が、その上部７ｂよりも、段部７ｃを形成して径細になっており、この径細な下部７ａを置物本体１の縦穴５に抜き差し自在に挿入できる。
【００１８】
従って、一輪挿し器７は、その下部７ａを置物本体１の縦穴５に挿入することにより、段部７ｃが置物本体１の柱部３の上面３ａに当接した状態でこの上面３ａ上に着脱自在に起立させることができる。一輪挿し器７は真鍮製で比重が重いので、安定した状態で起立させることができる。また、銀色としたり、地色の黄金色とすることで、高級感を持たせることができる。この一輪挿し器７に、図１に示すように花（生花又は造花）を一輪挿しすれば、記念品や賞品等としての置物に一輪挿しを添えた形態となり、装飾品としての価値が増す。
【実施例２】
【００１９】
図８〜図１０に示す実施例２は、置物本体１１に実施例１のような台座部が無く、透明なガラス又は樹脂で一体成形され、その形状は、上面１１ａと下面１１ｂが平らな平面、左右の一方の側面１１ｃが垂直面、他方の側面１１ｄが円弧面、正面１１ｅと背面１１ｆとが、置物本体１１の肉厚を下端に向かって徐々に厚くする傾斜面となっている。その正面１１ｅには、文字や図形や絵などの彫刻１２が施されている。
【００２０】
この置物本体１１の上面１１ａと下面１１ｂは互いに平行面となっているが、垂直な側面１１ｃから見ると、上面１１ａの長さは下面１１ｂよりも短くなっており、その上面１１ａの中央に縦穴５が形成されている。この縦穴５も、置物本体１１が透明であるため透視できるが、その領域は、彫刻１２が施されていない部分である。
【００２１】
置物本体１１の円弧面となっている側面１１ｄには、造形美を良くするため、その前側と後側とに、鋸歯状の前後の凹凸部１３が円弧の全長にわたって形成されている。
【００２２】
実施例２でも、実施例１と同様の一輪挿し器７を縦穴５に挿入して着脱自在に起立させることができるようになっている。
【実施例３】
【００２３】
図１１〜図１３に示す実施例３は、透明なガラス又は樹脂で一体成形された置物本体１１の上面１１ａと下面１１ｂとを同じ長さの平行面とするとともに、右及び左の両側面１１ｃ・１１ｄを、円弧面としてその両方に鋸歯状の前後の凹凸部１３を形成したものである。
【００２４】
この実施例３における縦穴５は、正面１１ｅに施された彫刻１２を避けるため、置物本体１１の上面１１ａの左右の一端部に形成されている。
【００２５】
図１４及び図１５は、それぞれ一輪挿し器の変形例を示す。図１４の例は、上部７ｂの外径が段部７ｃより上端に向かって次第に径細になっている場合、図１５の例は、上部７ｂの大きさが段部７ｃより上端に向かって弧状に末広がりとなっている場合である。
【００２６】
なお、彫刻は置物本体の透明部分であれば、そのどの面に施してもよく、内部に施すことも可能である。また、一輪挿し器の材質は真鍮に限られるものではない。
【図面の簡単な説明】
【００２７】
【図１】本考案の実施例１の使用状態の斜視図である。
【図２】実施例１の分解斜視図である。
【図３】実施例１の平面図である。
【図４】同じく背面図である。
【図５】同じく側面図である。
【図６】図３のＡ−Ａ線断面図である。
【図７】同じくＢ−Ｂ線断面図である。
【図８】実施例２の正面図である。
【図９】同じく左側面図である。
【図１０】同じく平面図である。
【図１１】実施例３の正面図である。
【図１２】同じく左側面図である。
【図１３】同じく平面図である。
【図１４】一輪挿し器の変形例の断面図である。
【図１５】同じく別の変形例の断面図である。
【符号の説明】
【００２８】
１  置物本体
２  台座部
３  柱部
３ａ  上面
４  突出部
４ａ  下側の斜面
４ｂ  上側の斜面
５  縦穴
６  彫刻
７  一輪挿し器
７ａ  下部
７ｂ  上部
７ｃ  段部
１１  置物本体
１１ａ  上面
１１ｂ  下面
１１ｃ  側面
１１ｄ  側面
１１ｅ  正面
１１ｆ  背面
１２  彫刻
１３  凹凸部
【図１】
0003127375.tif 000003
【図２】
0003127375.tif 000004
【図３】
0003127375.tif 000005
【図４】
0003127375.tif 000006
【図５】
0003127375.tif 000007
【図６】
0003127375.tif 000008
【図７】
0003127375.tif 000009
【図８】
0003127375.tif 000010
【図９】
0003127375.tif 000011
【図１０】
0003127375.tif 000012
【図１１】
0003127375.tif 000013
【図１２】
0003127375.tif 000014
【図１３】
0003127375.tif 000015
【図１４】
0003127375.tif 000016
【図１５】
0003127375.tif 000017